(57)【要約】【課題】従来の水道メーターセットは、２次側に付設した逆止弁のみにより消費端末からメーターセットへの逆流を防止するようにしてきたが、万一、逆止弁の劣化等により逆止性能が失われ、そのままの状態で給水管内に負圧が発生するなどした場合、給水管内の逆流を防止することができなくなる問題があった。【解決手段】メーターセットの１次側に第１逆止弁を設定すると共に、第１逆止弁とメーターセットの１次側端部間の通水路に事故時に発生する超過水圧を排圧する逃し弁を設定し、メーターセットの２次側に第２逆止弁を付設するように構成した。【選択図】図１
2006265990.tif 000002
【特許請求の範囲】
【請求項１】
メーターセットの１次側に第１逆止弁を設定すると共に、第１逆止弁とメーターセットの１次側端部間の通水路に事故時に発生する超過水圧を排圧する逃し弁を設定し、メーターセットの２次側に第２逆止弁を付設したたことを特徴とする逆流事故防止メーターセット
【請求項２】
超過水圧を排圧する逃し弁を、第１逆止弁の２次側に設けた減圧室の側部に張設したダイアフラムの受圧と、逃し弁体を開弁方向に付勢するバネの付勢力のバランスによって弁体を作動させるように構成した請求項１記載の逆流事故防止メーターセット
【請求項３】
逃し弁の排水ドレーン機構部に警報装置を付設するようにした請求項１又は請求項２記載の逆流事故防止メーターセット
【発明の詳細な説明】
【技術分野】
【０００１】
本発明は、水道メーターに付設された逆止弁の故障により発生する逆流事故を極力回避し、更に、事故の発生をいち早く発見して対応できるようにした逆流事故防止メーターセットに関するものである。
【背景技術】
【０００２】
従来、水道メーターセットは、例えば特許文献１に記載されるように２次側に逆止弁ユニットを付設して消費端末からメーターセットへの逆流を防止するようにしてきている。
【０００３】
この２次側逆止弁は、８年毎に行われるメーターの法定交換時に一緒に取り替えられるべきであるが、逆止弁の耐用年数がメーターよりも長く、交換作業に手間が掛かる等の理由によりそのまま使用されることが多い。
【特許文献１】特開２００３−８３７７８号公報
【発明の開示】
【発明が解決しようとする課題】
【０００４】
しかしながら、万一、逆止弁の劣化等により逆止性能が失われ、そのままの状態で給水管内に負圧が発生するなどした場合、給水管内の逆流を防止することができなくなる。
【０００５】
また、２次側逆止弁だけでは逆流防止効果が完全でなく、これが故障した場合にはメーター内だけでなく、その先の給水本管内にまで汚水等が流入してしまう恐れがあり、その被害は甚大なものとなってしまう。
【０００６】
更に、逆流が防止されるだけで逆止性能の低下が発見されずに放置されれば、メーターの他のセット機器にも影響が生ずるので、逆止性能低下の早期発見が不可欠である。
【課題を解決するための手段】
【０００７】
本発明は上記した問題に鑑みこれに対応しようとするものであり、メーターセットの１次側に第１逆止弁を設定すると共に、第１逆止弁とメーターセットの１次側端部間の通水路に事故時に発生する超過水圧を排圧する逃し弁を設定し、メーターセットの２次側に第２逆止弁を付設するようにした。
【０００８】
また、超過水圧を排圧する逃し弁を、第１逆止弁の下部に設けた減圧室の側部に張設したダイアフラムによって受圧し、この受圧によって弁体を作動させるように構成し、減圧室内の水圧の変化を敏感に捉えて逆止性能低下による異常水圧の調整が迅速に行われるようにした。
【０００９】
更に、逃し弁の排水ドレーン機構部に警報装置を付設するようにして、逃し弁の排水ドレーンに継続的な少量の排水現象が見られるような発見し難い逆止性能低下についても早期発見が可能なようにした。
【実施例】
【００１０】
以下、図面を参照して本発明の実施例を説明する。Ａは水道メーターで、給水管Ｂからの供給水を第１逆止弁１、逃し弁４を設定した減圧室２を介して受け、１次側端部ａ１から２次側端部ａ２に供給水を流して消費水量を計測し表示するものである。
【００１１】
水道メーターＡの２次側端部ａ２には第２逆止弁３が設定され、これを介して消費端末に水道水が供給される。即ち、第２逆止弁３によって消費端末からの水の逆流を防止しているものである。
【００１２】
第１逆止弁は、給水管継手部ｂの２次側に設定された弁室内に弁体１１を閉弁方向に引張する引張バネ１２により設定嵌装され、減圧室２の隔壁に設定された弁孔１３を開閉するように構成されており、常時は弁体１１が閉弁しているが、消費端末が開栓されると、給水管からの給水圧により引張バネ１２に抗して弁体１１が開弁され、弁孔１３を通じてメーター１次側端部ａ１から２次側端部ａ２に流れて消費水量が計測され、第２逆止弁３を経て消費端末に供給される。
【００１３】
減圧室２には側部に逃し弁４の弁軸４２を作動するダイヤフラム４１が張設されると共に、ダイヤフラム４１に対向して弁軸４２を開弁方向に付勢するバネ４６が設定され、減圧室の内圧が一定に保持されている場合には、バネ４６の付勢力に勝るダイヤフラムの張設力と減圧室の内圧によって逃し弁４は閉弁状態に維持される。
【００１４】
逃し弁の逃がし弁孔４３には排水ドレーン機構４４が設けられ、超過水圧の排圧による内圧水が排水されるようになっている。更に、排水ドレーン機構４４には排圧による内圧水の排水を感知して警報音、或いは点滅発光する適宜の警報装置が付設される。
【００１５】
第２逆止弁３に逆止性能低下が発生した場合、第２逆止弁３から逆流が発生してメーター１次側端部ａ１から減圧室２まで逆流するが、第１逆止弁１によって逆流が阻止されるので、減圧室２の内圧が上昇してダイヤフラム４１を右側に押して開弁方向に付勢されたバネ４６が働いて弁体４５が右側に移動して逃し弁孔４３が開弁される。
【００１６】
逃し弁孔４３が開弁されると超過内圧水が弁孔４３から排水され、警報装置が作動するが逆流水量が少量の場合は暫くすると減圧室２の内圧が下がり、ダイヤフラム４１が左側に復帰して逃し弁４は閉弁する。しかし、逆流の発生自体は止まらないので減圧室２の内圧が高まれば再び逃し弁２が開弁する。
【００１７】
第１逆止弁１に逆止性能低下が発生した場合、消費端末側からの逆流は第２逆止弁３によって阻止されるが、第１逆止弁１に逆止力がないため、メーター２次側端部ａ２から給水管Ｂへの１次側水路の逆流は阻止されないため、減圧室２に負圧が発生するので、開弁方向に付勢されたバネ４６の付勢力がダイヤフラムの張設力と減圧室の内圧より勝る状態となり、弁体４５が右側に移動して逃し弁孔４３が開弁される。
【００１８】
逃し弁孔４３の開弁によって減圧室２内に大気が導入され、減圧室２内が大気圧に達すると、負圧が解消されてダイヤフラムの張設力と減圧室の内圧がバネ４６の付勢力より勝る状態となり、ダイヤフラム４１が左側に復帰して逃し弁４が閉弁し、内圧のバランスにより逆流は阻止される。
【００１９】
第１逆止弁１及び第２逆止弁３双方の逆止性能低下が発生した場合、第２逆止弁３から逆流が発生してメーター１次側端部ａ１から減圧室２まで逆流するが、第１逆止弁１によっても逆流が阻止されないので、第１逆止弁１次側弁室内の内圧と減圧室２内の内圧が同一となりバネ４６の付勢力がダイヤフラムの張設力と減圧室の内圧より勝る状態となるので、弁体４５が右側に移動して逃し弁孔４３が開弁される。
【００２０】
逃し弁孔４３の開弁によって減圧室２内に大気が導入され、減圧室２内が大気圧に達すると、負圧が解消されてダイヤフラムの張設力と減圧室の内圧がバネ４６の付勢力より勝る状態となり、ダイヤフラム４１が左側に復帰して逃し弁４が閉弁し、内圧のバランスにより逆流は阻止される。
【００２１】
本発明は以上のように構成したので、第１逆止弁、第２逆止弁の様々な態様による逆止性能低下に対応して逆流を防止することができ、更に、事故の発生をいち早く発見して対応できてメーターセットの故障から給水本管への逆流事故をほぼ完全に防止することができたものである。
【図面の簡単な説明】
【００２２】
【図１】本発明による逆流事故防止メーターセットの実施例を示すもので、メーターセットの要部を縦断面とした全体構造側面図である。
【図２】同じく、第１逆止弁、逃し弁を設定した減圧室の構造を示す減圧弁箱の要部拡大縦断面側面図であって第１逆止弁については左半分を開弁状態、右半分を閉弁状態とし、逃し弁については下半分を開弁状態、上半分を閉弁状態として示したものである。
【符号の説明】
【００２３】
１  第１逆止弁
１１  第１逆止弁の弁体
１２  第１逆止弁の弁体引張バネ
１３  第１逆止弁の弁孔
２  減圧室
３  第２逆止弁
４  逃し弁
４１  ダイヤフラム
４２  逃し弁の弁軸
４３  逃し弁の逃がし弁孔
４４  排水ドレーン機構
４５  逃し弁の弁体
４６  逃し弁の弁軸付勢バネ
Ａ    水道メーター
ａ１  水道メーターの１次側端部
ａ２  水道メーターの２次側端部
Ｂ    給水管
ｂ    給水管継手部
【図１】
2006265990.tif 000003
【図２】
2006265990.tif 000004